(57)【要約】【課題】バラ硬貨の整理に要する時間を短縮することができる硬貨処理装置を提供する。【解決手段】実施形態に係る硬貨処理装置１は、金種混合状態の複数の硬貨を受け入れる硬貨受入部２と、硬貨受入部２で受け入れた硬貨を一時保留する複数の保留筒を有する一時保留部３と、硬貨整理モードにおいて、受け入れた複数の硬貨のうち整理対象の金種の硬貨を選別する硬貨選別部６ａと、通常硬貨処理モードにおいて、複数の硬貨のうち第１の金種の硬貨を選別して、複数の保留筒のうちの一つである保留筒３ｂに収納させる硬貨選別部６ｂとを備え、硬貨選別部６ｂは、硬貨整理モードにおいて、複数の保留筒のうち保留筒３ｂ以外の保留筒であって整理対象外の金種の硬貨が収納される保留筒に収納された硬貨の枚数が制限枚数に達した場合、当該保留筒に収納されるべき硬貨を選別して保留筒３ｂに収納させる。【選択図】図６
2016162277.tif 000002
【特許請求の範囲】
【請求項１】
金種混合状態の複数の硬貨を受け入れる硬貨受入部と、
前記硬貨受入部で受け入れた硬貨を一時保留する複数の保留筒を有する一時保留部と、
硬貨整理モードにおいて、前記受け入れた複数の硬貨のうち整理対象の金種の硬貨を選別する第１の硬貨選別部と、
通常硬貨処理モードにおいて、前記複数の硬貨のうち第１の金種の硬貨を選別して、前記複数の保留筒のうちの一つである第１の保留筒に収納させる第２の硬貨選別部と、
を備え、
前記第２の硬貨選別部は、前記硬貨整理モードにおいて、前記複数の保留筒のうち前記第１の保留筒以外の保留筒であって整理対象外の金種の硬貨が収納される保留筒に収納された硬貨の枚数が制限枚数に達した場合、当該保留筒に収納されるべき硬貨を選別して前記第１の保留筒に収納させることを特徴とする硬貨処理装置。
【請求項２】
前記硬貨整理モードにおいて、前記第１の金種の硬貨は、前記第２の硬貨選別部により選別される前は、前記第１の保留筒とは異なる保留筒に収納されることを特徴とする請求項１に記載の硬貨処理装置。
【請求項３】
前記一時保留部は、前記複数の保留筒のうちの一つとして第２の保留筒を有し、
前記通常硬貨処理モードにおいて、前記第１の金種とほぼ直径が等しい第２の金種の硬貨を直径に基づいて選別し、前記第２の保留筒に落下させる第３の硬貨選別部をさらに備え、
前記硬貨整理モードにおいて、前記第３の硬貨選別部は、前記第１および第２の金種の硬貨を選別して前記第２の保留筒に収納し、前記第２の硬貨選別部は、前記複数の保留筒のうち前記整理対象外の金種の硬貨が収納される保留筒のいずれか一つに収納された硬貨の枚数が制限枚数に達するまではいずれの金種の硬貨も選別せず、制限枚数に達した後は、制限枚数に達した保留筒に収納されるべき金種の硬貨を選別して前記第１の保留筒に収納させることを特徴とする請求項１に記載の硬貨処理装置。
【請求項４】
前記一時保留部は、前記複数の保留筒のうちの一つとして第３の保留筒を有し、
前記通常硬貨処理モードにおいて、前記複数の硬貨のうち前記第１および第２の金種と異なる第３の金種の硬貨を選別して前記第３の保留筒に収納させ、前記硬貨整理モードにおいて、前記複数の保留筒のうち前記整理対象外の金種の硬貨が収納される保留筒に収納された硬貨の枚数が制限枚数に達するまではいずれの金種の硬貨も選別せず、当該保留筒に収納された硬貨の枚数が制限枚数に達した後は、当該保留筒に収納されるべき硬貨を選別して前記第３の保留筒に収納させる第４の硬貨選別部をさらに備えることを特徴とする請求項３に記載の硬貨処理装置。
【請求項５】
前記第４の硬貨選別部は、前記硬貨整理モードにおいて、前記第１の保留筒内に保留された硬貨の枚数が制限枚数に達した後、前記整理対象外の金種の硬貨を選別することを特徴とする請求項４に記載の硬貨処理装置。
【請求項６】
金種混合状態の複数の硬貨を受け入れる硬貨受入部と、
前記硬貨受入部で受け入れた硬貨を一時保留する複数の保留筒を有する一時保留部と、
硬貨整理モードにおいて、前記受け入れた複数の硬貨のうち整理対象の金種の硬貨を選別する第１の硬貨選別部と、
通常硬貨処理モードにおいて、前記複数の硬貨のうち第１の金種の硬貨を選別して、前記複数の保留筒のうちの一つである第１の保留筒に収納させる第２の硬貨選別部と、
を備え、
前記第２の硬貨選別部は、前記硬貨整理モードにおいて、整理対象外の金種の硬貨を選別して前記第１の保留筒に収納させることを特徴とする硬貨処理装置。
【請求項７】
前記一時保留部は、前記複数の保留筒のうちの一つとして第２の保留筒を有し、
前記通常硬貨処理モードにおいて、前記複数の硬貨のうち前記第１の金種と異なる第２の金種の硬貨を選別して前記第２の保留筒に収納させ、前記硬貨整理モードにおいて、前記整理対象外の金種の硬貨を選別して前記第２の保留筒に収納させる第３の硬貨選別部をさらに備えることを特徴とする請求項６に記載の硬貨処理装置。
【請求項８】
前記第３の硬貨選別部は、前記硬貨整理モードにおいて、前記第１の保留筒内に保留された硬貨の枚数が制限枚数に達した後、前記整理対象外の金種の硬貨を選別することを特徴とする請求項７に記載の硬貨処理装置。
【請求項９】
前記第１の硬貨選別部は、前記第２および前記第３の硬貨選別部が設けられた分類通路部の最後尾に設けられ、いずれの金種の硬貨でも入り得る直径の穴により構成されていることを特徴とする請求項７に記載の硬貨処理装置。
【請求項１０】
前記第１の硬貨選別部は、前記通常硬貨処理モードにおいて、リジェクト硬貨を選別して返却口に落下させることを特徴とする請求項１に記載の硬貨処理装置。
【請求項１１】
前記第１の硬貨選別部および第２の硬貨選別部は、分類通路部のコーナー部の上流側および下流側にそれぞれ設けられ、
前記分類通路部のコーナー部に設けられた飛出口と、前記飛出口を開閉可能なシャッターとを有する第３の硬貨選別部をさらに備え、
前記第３の硬貨選別部は、前記硬貨整理モードにおいて、前記シャッターを駆動して前記飛出口を開き、前記整理対象の金種の硬貨を前記飛出口から前記分類通路部の外に飛び出させることを特徴とする請求項１０に記載の硬貨処理装置。
【発明の詳細な説明】
【技術分野】
【０００１】
本発明は、硬貨処理装置、より詳しくは、バラ硬貨の整理機能を有する硬貨処理装置に関する。
【背景技術】
【０００２】
従来、投入口から投入される金種混合状態の複数の硬貨（以下「バラ硬貨」ともいう。）を整理する機能を有する硬貨処理装置が知られている。ここで、「硬貨を整理する」とは、硬貨処理装置に投入されるバラ硬貨のうち、整理対象の金種（以下「指定金種」ともいう。）の硬貨を選別し計数して、下記の整理処理を行うことをいう。整理処理には、所定枚数ごとに指定金種の硬貨を包装して包装硬貨（棒金）を形成し、そのまま機外へ投出したり、機内の保存箱に保存する処理（整理包装）や、指定金種の硬貨を包装することなく機外に投出（袋取り）したり、機内の保存箱に保存する処理がある。
【０００３】
バラ硬貨の整理動作中、整理対象外の金種の硬貨は金種ごとに選別され、金種別の保留筒に貯えられる。各保留筒には、貯えることの可能な硬貨の最大枚数（以下「制限枚数」ともいう。）が決められている。
【先行技術文献】
【特許文献】
【０００４】
【特許文献１】特開２０１０−１１３５３４号公報
【発明の概要】
【発明が解決しようとする課題】
【０００５】
整理動作中、ある金種の保留筒が制限枚数に達した場合、他の金種の硬貨も含め、投入された硬貨は返却箱を介していったん返却される。オペレータは、硬貨処理装置から返却箱を抜き取り、返却箱内の硬貨を回収した後、整理動作を再開させなければならない。このため、投入されるバラ硬貨の枚数が大量等である場合、何度も返却箱を抜き取らなければならず、硬貨整理に多大な時間を要することがあった。
【０００６】
そこで、本発明は、バラ硬貨の整理に要する時間を短縮することができる硬貨処理装置を提供することを目的とする。
【課題を解決するための手段】
【０００７】
本発明に係る硬貨処理装置は、
金種混合状態の複数の硬貨を受け入れる硬貨受入部と、
前記硬貨受入部で受け入れた硬貨を一時保留する複数の保留筒を有する一時保留部と、
硬貨整理モードにおいて、前記受け入れた複数の硬貨のうち整理対象の金種の硬貨を選別する第１の硬貨選別部と、
通常硬貨処理モードにおいて、前記複数の硬貨のうち第１の金種の硬貨を選別して、前記複数の保留筒のうちの一つである第１の保留筒に収納させる第２の硬貨選別部と、
を備え、
前記第２の硬貨選別部は、前記硬貨整理モードにおいて、前記複数の保留筒のうち前記第１の保留筒以外の保留筒であって整理対象外の金種の硬貨が収納される保留筒に収納された硬貨の枚数が制限枚数に達した場合、当該保留筒に収納されるべき硬貨を選別して前記第１の保留筒に収納させることを特徴とする。
【０００８】
また、前記硬貨処理装置において、
前記硬貨整理モードにおいて、前記第１の金種の硬貨は、前記第２の硬貨選別部により選別される前は、前記第１の保留筒とは異なる保留筒に収納されるようにしてもよい。
【０００９】
また、前記硬貨処理装置において、
前記一時保留部は、前記複数の保留筒のうちの一つとして第２の保留筒を有し、
前記通常硬貨処理モードにおいて、前記第１の金種とほぼ直径が等しい第２の金種の硬貨を直径に基づいて選別し、前記第２の保留筒に落下させる第３の硬貨選別部をさらに備え、
前記硬貨整理モードにおいて、前記第３の硬貨選別部は、前記第１および第２の金種の硬貨を選別して前記第２の保留筒に収納し、前記第２の硬貨選別部は、前記複数の保留筒のうち前記整理対象外の金種の硬貨が収納される保留筒のいずれか一つに収納された硬貨の枚数が制限枚数に達するまではいずれの金種の硬貨も選別せず、制限枚数に達した後は、制限枚数に達した保留筒に収納されるべき金種の硬貨を選別して前記第１の保留筒に収納させるようにしてもよい。
【００１０】
また、前記硬貨処理装置において、
前記一時保留部は、前記複数の保留筒のうちの一つとして第３の保留筒を有し、
前記通常硬貨処理モードにおいて、前記複数の硬貨のうち前記第１および第２の金種と異なる第３の金種の硬貨を選別して前記第３の保留筒に収納させ、前記硬貨整理モードにおいて、前記複数の保留筒のうち前記整理対象外の金種の硬貨が収納される保留筒に収納された硬貨の枚数が制限枚数に達するまではいずれの金種の硬貨も選別せず、当該保留筒に収納された硬貨の枚数が制限枚数に達した後は、当該保留筒に収納されるべき硬貨を選別して前記第３の保留筒に収納させる第４の硬貨選別部をさらに備えてもよい。
【００１１】
また、前記硬貨処理装置において、
前記第４の硬貨選別部は、前記硬貨整理モードにおいて、前記第１の保留筒内に保留された硬貨の枚数が制限枚数に達した後、前記整理対象外の金種の硬貨を選別するようにしてもよい。
【００１２】
本発明に係る硬貨処理装置は、
金種混合状態の複数の硬貨を受け入れる硬貨受入部と、
前記硬貨受入部で受け入れた硬貨を一時保留する複数の保留筒を有する一時保留部と、
硬貨整理モードにおいて、前記受け入れた複数の硬貨のうち整理対象の金種の硬貨を選別する第１の硬貨選別部と、
通常硬貨処理モードにおいて、前記複数の硬貨のうち第１の金種の硬貨を選別して、前記複数の保留筒のうちの一つである第１の保留筒に収納させる第２の硬貨選別部と、
を備え、
前記第２の硬貨選別部は、前記硬貨整理モードにおいて、整理対象外の金種の硬貨を選別して前記第１の保留筒に収納させることを特徴とする。
【００１３】
また、前記硬貨処理装置において、
前記一時保留部は、前記複数の保留筒のうちの一つとして第２の保留筒を有し、
前記通常硬貨処理モードにおいて、前記複数の硬貨のうち前記第１の金種と異なる第２の金種の硬貨を選別して前記第２の保留筒に収納させ、前記硬貨整理モードにおいて、前記整理対象外の金種の硬貨を選別して前記第２の保留筒に収納させる第３の硬貨選別部をさらに備えてもよい。
【００１４】
また、前記硬貨処理装置において、
前記第３の硬貨選別部は、前記硬貨整理モードにおいて、前記第１の保留筒内に保留された硬貨の枚数が制限枚数に達した後、前記整理対象外の金種の硬貨を選別するようにしてもよい。
【００１５】
また、前記硬貨処理装置において、
前記第１の硬貨選別部は、前記第２および前記第３の硬貨選別部が設けられた分類通路部の最後尾に設けられ、いずれの金種の硬貨でも入り得る直径の穴により構成されているようにしてもよい。
【００１６】
また、前記硬貨処理装置において、
前記第１の硬貨選別部は、前記通常硬貨処理モードにおいて、リジェクト硬貨を選別して返却口に落下させてもよい。
【００１７】
また、前記硬貨処理装置において、
前記第１の硬貨選別部および第２の硬貨選別部は、分類通路部のコーナー部の上流側および下流側にそれぞれ設けられ、
前記分類通路部のコーナー部に設けられた飛出口と、前記飛出口を開閉可能なシャッターとを有する第３の硬貨選別部をさらに備え、
前記第３の硬貨選別部は、前記硬貨整理モードにおいて、前記シャッターを駆動して前記飛出口を開き、前記整理対象の金種の硬貨を前記飛出口から前記分類通路部の外に飛び出させるようにしてもよい。
【発明の効果】
【００１８】
本発明によれば、バラ硬貨の整理に要する時間を短縮することができる。
【図面の簡単な説明】
【００１９】
【図１】第１の実施形態に係る硬貨処理装置１の内部構造を示す正面図である。
【図２】硬貨処理装置１の内部構造を示す平面図である。
【図３】硬貨処理装置１の内部構造を示す左側面図である。
【図４】硬貨処理装置１の内部構造を示す右側面図である。
【図５】整理対象の金種を指定する画面例を示す図である。
【図６】第１の実施形態に係る硬貨処理動作を説明するための図である。
【図７】第１の実施形態の変形例に係る硬貨処理動作を説明するための図である。
【図８】第２の実施形態に係る硬貨処理動作を説明するための図である。
【図９】第３の実施形態に係る硬貨処理動作を説明するための図である。
【図１０】第４の実施形態に係る硬貨処理装置１Ａの内部構造を示す左側面図である。
【図１１】第４の実施形態に係る硬貨処理動作を説明するための図である。
【図１２】（ａ）は第５の実施形態に係る硬貨処理装置の分類通路部３６Ａの一部を示す平面図であり、（ｂ）は（ａ）のＡ−Ａ線に沿う断面図である。
【図１３】第５の実施形態に係る硬貨処理動作を説明するための図である。
【発明を実施するための形態】
【００２０】
以下、図面を参照しながら、本発明の実施形態に係る硬貨処理装置について説明する。
【００２１】
（第１の実施形態）
まず、第１の実施形態に係る硬貨処理装置１の概略的な構成について、図１〜図４を参照して説明する。図１、図２、図３および図４は、硬貨処理装置１の内部構造を示す正面図、平面図、左側面図および右側面図をそれぞれ示している。
【００２２】
図１〜図４に示すように、硬貨処理装置１は、機体１００を有し、この機体１００内には、前面（図１）から見て、上部左側域に機体１００外から硬貨を受け入れて識別および分類する硬貨受入部２が配置されている。この硬貨受入部２の下部域には、硬貨受入部２で金種別に分類された硬貨を一時保留する一時保留部３が配置されている。
【００２３】
また、一時保留部３の下部域には、一時保留部３からの硬貨を収納したり、繰り出す硬貨収納繰出部１４と、一時保留部３からの硬貨を返却する返却箱１５とが配置されている。返却箱１５は、機体１００の奥行き方向に長く、機体１００の前面から着脱可能に配置されている。
【００２４】
硬貨収納繰出部１４および返却箱１５の下部域には、所定枚数重積された硬貨を包装して包装硬貨である棒金１６を形成する包装部１７が配置されている。包装部１７の上部右側域には、棒金１６を収納したり、送り出す棒金収納送出部１８が配置されている。図２に示すように、包装部１７および棒金収納送出部１８の前部域には、棒金１６を搬送する棒金搬送部１９が配置されている。
【００２５】
図３に示すように、機体１００の前部側には、一時保留部３の前部域にリジェクト硬貨を返却するための返却口１１が配置されている。包装部１７の前部域には、出金箱２１が着脱可能に配置され、包装部１７の下部域には、硬貨を回収するための回収部２２が着脱可能に配置されている。棒金収納送出部１８の前部域には、棒金１６を出金する棒金出金口２３と、棒金１６を一括収納する棒金一括収納部２４とが着脱可能に配置されている。図４に示すように、包装部１７の前部域に棒金１６を機外に投出する棒金投出口２５が配置されている。また、棒金搬送ベルト８２で搬送する棒金１６を選択的に棒金出金口２３、棒金一括収納部２４および棒金投出口２５へ送り込む切換板８６，８７，８８がそれぞれ配置されている。
【００２６】
図１および図２に示すように、硬貨受入部２は、機体１００の上面に形成された投入口３１から投入されるバラ硬貨を受け入れる供給円盤３２と、この供給円盤３２から適量ずつ硬貨が供給される回転円盤３３と、この回転円盤３３から１枚ずつ繰り出される硬貨を搬送する硬貨通路３４とを備えている。
【００２７】
硬貨通路３４は、回転円盤３３から機体１００の幅方向に沿って延設された識別通路部３５と、この識別通路部３５から機体１００の奥行き方向へ向けて延設された分類通路部３６とを有する。この硬貨通路３４上には硬貨を搬送する搬送ベルト（図示せず）が配置されている。
【００２８】
識別通路部３５には、搬送する硬貨の金種、真偽、正損等を識別する識別部３７が配置されている。
【００２９】
分類通路部３６には、上流側から下流側にかけて、硬貨選別部６ｈ、硬貨選別部６ａ（第１の硬貨選別部）、硬貨選別部６ｂ（第２の硬貨選別部）、硬貨選別部６ｃ、硬貨選別部６ｄ（第４の硬貨選別部）、硬貨選別部６ｅ（第３の硬貨選別部）、硬貨選別部６ｆおよび硬貨選別部６ｇが順に配置されている。
【００３０】
通常硬貨処理モードにおいて、硬貨選別部６ｈはリジェクト硬貨を選別し、硬貨選別部６ａはオペレータにより設定された金種（任意金種）の硬貨を選別し、硬貨選別部６ｂは５円硬貨（第１の金種の硬貨）を選別し、硬貨選別部６ｃは１円硬貨を選別し、硬貨選別部６ｄは５０円硬貨（第３の金種の硬貨）を選別し、硬貨選別部６ｅは１００円硬貨（第２の金種の硬貨）を選別し、硬貨選別部６ｆは１０円硬貨を選別し、硬貨選別部６ｇは５００円硬貨を選別する。ここで、「通常硬貨処理モード」とは、硬貨整理モードに対応する用語であり、入金した硬貨を一時保留部３に保留し、入金確定の指令により、一時保留部３に保留されている硬貨をそれぞれ指定の収納庫へ収納する処理（いわゆる入金処理）のことをいう。
【００３１】
硬貨選別部６ａ，６ｂ，６ｃ，６ｄ，６ｅ，６ｆ，６ｇにより選別された硬貨はそれぞれ、一時保留部３の保留筒３ａ，３ｂ（第１の保留筒），３ｃ，３ｄ（第３の保留筒），３ｅ（第２の保留筒），３ｆ，３ｇに落下して貯えられる。
【００３２】
硬貨選別部６ｈ，６ａ，６ｂは、硬貨通路３４に沿って搬送されてきた硬貨を強制選別により選別する。ここで、「強制選別」とは、ソレノイド等の電気的駆動手段により硬貨を強制的に分岐孔４１へ落とし込ませて選別することをいう。
【００３３】
一方、硬貨選別部６ｃ〜６ｇは、硬貨の直径に基づいて選別する（以下、単に「径選別する」ともいう。）。より詳しくは、硬貨選別部６ｃ〜６ｇは、分類通路部３６の上流側から下流側にかけて、小径の硬貨から大径の硬貨の順に径選別するように配置されている。
【００３４】
ところで、５円硬貨と１００円硬貨は直径がほぼ同じである。このため、両者を径選別すると、誤選別のおそれがある。そのため、５円硬貨を硬貨選別部６ｂにより強制選別し、１００円硬貨を硬貨選別部６ｅにより径選別するようにしている。なお、硬貨選別部６ｂは、直径がほぼ等しい複数種類の硬貨のうち、市場での流通量が少ない金種（例えば５円）を選別する。
【００３５】
図３に示すように、硬貨選別部６ｈの下部には、リジェクト硬貨を返却口１１に導くシュート４２が配置されている。また、硬貨選別部６ａの下部にはシュート４３が配置されている。このシュート４３の下部には、切換板４６を介して袋取り用シュート４４および包装用シュート４５が配置されている。切換板４６は、シュート４３からの硬貨を、袋取り用シュート４４または包装用シュート４５に選択的に導く。袋取り用シュート４４は、機体１００の前面に配置される袋装着部（図示せず）に装着される袋へ硬貨を導いて収納させる。
【００３６】
一時保留部３は、図３に示すように、機体１００の奥行き方向に沿って金種別に並んで配置され、硬貨選別部６ａ〜６ｇにより選別される硬貨を受け入れて金種別に一時保留する。この一時保留部３は、金種別の保留筒３ａ〜３ｇと、保留筒３ａ〜３ｇの底面を一括して開閉する底部材５０とを有している。ここで、保留筒３ａは任意金種に割り当てられている。また、保留筒３ａ〜３ｇおよび底部材５０はそれぞれ、移動機構５１および移動機構５２によって機体１００の幅方向に互いに独立して移動可能である。
【００３７】
保留筒３ａ〜３ｇは、分類通路部３６の硬貨選別部６ａ〜６ｇの下方に位置し、保留筒３ａ〜３ｇの底面を底部材５０が閉塞した状態において硬貨を保留する。一時保留した硬貨を機内に収納する場合には、保留筒３ａ〜３ｇのみが硬貨収納繰出部１４の上部域に移動し、保留筒３ａ〜３ｇの底面を開放して保留筒３ｂ〜３ｇ内の硬貨を硬貨収納繰出部１４へ放出し、保留筒３ａ内の硬貨はシュート４３へ落下する。一方、一時保留した硬貨を返却する場合には、底部材５０のみが返却箱１５の上部域から機体１００の幅方向に移動し、保留筒３ａ〜３ｇの底面を開放して保留筒３ｂ〜３ｇ内の硬貨を返却箱１５に放出する。
【００３８】
前述の硬貨整理モードにおいて、保留筒３ｂ〜３ｇのうちいずれかの保留筒に貯えられた硬貨の枚数が制限枚数に達すると、それ以外の保留筒に貯えられた硬貨も含めて全て返却箱１５に返却される。保留筒３ｂ〜３ｆの制限枚数は例えば３００枚であり、保留筒３ｇの制限枚数は例えば１５０枚である。なお、保留筒３ａの制限枚数は例えば１００枚である。
【００３９】
硬貨収納繰出部１４は、図３に示すように、機体１００の奥行き方向に金種別に並んで配置されており、一時保留部３から放出される硬貨を受け入れて収納する金種別の硬貨収納部５６と、硬貨収納部５６の下部から硬貨を１枚ずつ繰り出す硬貨繰出部５７とを有している。
【００４０】
硬貨繰出部５７は、例えば、硬貨が１枚ずつ入り込む複数の繰出孔を有する繰出用回転円盤５８を有する。この繰出用回転円盤５８の回転により、繰出孔に入り込んだ硬貨は１枚ずつ繰出用回転円盤５８の周辺部から側方へ繰り出される。
【００４１】
硬貨収納繰出部１４の側部には、図１および図２に示すように、硬貨収納繰出部１４の下部から繰り出される硬貨を受け入れるコンベヤ５９が機体１００の奥行き方向に沿って配置されている。このコンベヤ５９の中央域にはコンベヤ上から硬貨を払い出す払出機構６０が配置されている。また、コンベヤ５９の前端側には、図３に示すように、硬貨を１層１列状態にする逆転ローラ（図示せず）と、１層１列状態となった硬貨を識別する出金識別部６１とが配置されている。そして、硬貨の包装時には、コンベヤ５９上の中央域より前側域に繰り出された硬貨をコンベヤ５９の中央域への搬送と払出機構６０によってコンベヤ５９上から払い出し、またはコンベヤ５９上の中央域より後側域に繰り出された硬貨をコンベヤ５９の中央域への搬送と払出機構６０とによってコンベヤ５９上から払い出し、コンベヤ５９上から払い出した硬貨をシュート６２で包装部１７へ送り込む。また、硬貨の出金時または回収時には、コンベヤ５９上に受け入れた硬貨を前方へ搬送し、出金識別部６１による識別後に、シュート６３で出金箱２１に送り込む。
【００４２】
包装部１７には、図１に示すように、シュート６２で導かれる硬貨収納繰出部１４から繰り出された硬貨、または包装用シュート４５で導かれる硬貨選別部６ａで選別された包装用の硬貨を受け入れる包装用回転円盤６５と、この包装用回転円盤６５の回転によって１枚ずつ繰り出される硬貨を受け入れて搬送する包装用硬貨通路６６とが配設されている。包装用硬貨通路６６には、硬貨を搬送する搬送ベルトが配置されている。包装用硬貨通路６６は、金種設定によって通路幅が包装する金種に対応して調整設定され、包装金種より大径金種の硬貨が包装用硬貨通路６６に進入するのを規制し、包装金種より小径金種の硬貨を包装用硬貨通路６６の通路面に設けられた排除口（図示せず）から排除する。排除口から排除した硬貨は、シュート６８を通じて回収部２２に回収される。
【００４３】
包装用硬貨通路６６の下流域には、包装用硬貨通路６６から送り込まれる硬貨を下部側から上方へ順次重積していって所定枚数の硬貨を重積する重積部６９が配設されている。この重積部６９は、包装機構７０の３本の包装ローラ７１の間でかつ包装用硬貨通路６６の通路面と同一面に配置された重積底板（図示せず）に対して略垂直に形成されている。重積部６９の下部には重積底板から上方に突出する図示しない重積ローラが配設され、この重積ローラの回転によって、包装用硬貨通路６６から送り込まれる硬貨を重積部６９の下部に取り込むとともにこの硬貨の送込み方向の後端を包装用硬貨通路６６の通路面および重積底板の上面より上昇させ、続いて送り込まれる硬貨の送込み方向の先端を重積部６９の下部に位置する硬貨の下側に取り込んで重積する。
【００４４】
包装機構７０では、所定枚数重積した重積硬貨を通路底板から上方に突出する支持ロッド（図示せず）で所定の包装位置まで押し上げ、３本の包装ローラ７１で重積硬貨の周面を挟持して回転させ、重積硬貨の周面に包装紙（図示せず）を巻き込むことにより、この包装紙を重積硬貨の周囲に巻き付けるとともに包装紙の端部を重積硬貨の端面にかしめ、棒金１６を形成する。
【００４５】
重積部６９の下方には、図４に示すように、包装部１７から長手方向（重積方向）が上下方向に向く状態で放出される棒金１６を受け入れてその長手方向が機体１００の前面に平行でかつ水平となる状態に変換しつつ前方へ向けて転がるように導く棒金シュート７２が配設されている。この棒金シュート７２の先端側には、横搬送部７３が配置されているとともに、この横搬送部７３から前方の棒金搬送部１９への棒金１６の放出と放出規制とを切り換える切換板７４が配設されている。
【００４６】
また、図４に示すように、棒金収納送出部１８には、複数の棒金１６を金種別に収納する複数の棒金トレイ７７が、上下方向に複数段配置されている。各棒金トレイ７７は、前方へ下降傾斜した状態に設けられている。棒金トレイ７７は、機体１００の奥行き方向に長く、棒金１６の長手方向が機体１００の前面に平行でかつ水平となる状態で、複数の棒金１６を機体の奥行き方向に並べて収納するとともに、棒金トレイ７７の傾斜によって収納した棒金１６を前方に寄せて整列状態に収納する。
【００４７】
図４に示すように、棒金搬送部１９は、長手方向が機体１００の前面に平行でかつ水平となる状態で棒金１６を搬送する棒金搬送ベルト８２を有している。この棒金搬送ベルト８２が上下のローラ８３にわたって上下方向に回動可能に張設されている。また、棒金搬送ベルト８２の周面には、棒金１６を支持して搬送する複数の棒金支持部８４が突設されている。また、棒金搬送ベルト８２の周囲には、棒金搬送ベルト８２との間で棒金１６をガイドするガイド体８５が配置されている。
【００４８】
図３に示すように、出金箱２１は、機体１００の前面から着脱可能に配置され、底板９１が開閉可能に構成されている。出金箱２１の装着場所の下部域には、出金箱２１の底板９１の開放によって放出される硬貨を回収部２２に導く回収シュート９２が配設されている。回収部２２は、機体１００に対して着脱可能に設けられている。
【００４９】
図１に示すように、回収部２２には、機体１００の前面から着脱可能な返却箱９５が並設されている。硬貨収納繰出部１４による硬貨包装時においては、包装部１７からシュート６８を通じて排除された硬貨は切換板９６によって回収部２２に回収し、ダイレクト包装時においては、包装部１７からシュート６８を通じて排除された硬貨を切換板９６によって返却箱９５に収納する。
【００５０】
次に、上記構成を有する硬貨処理装置１の硬貨整理動作について説明する。硬貨整理動作の一例として、バラ硬貨の整理包装の手順について説明する。まず、オペレータは硬貨処理装置１に設けられたキーボード等の入力部（図示せず）を介して整理対象の金種を指定する。より詳しくは、オペレータは、硬貨処理装置１に設けられた液晶ディスプレイ等の表示部（図示せず）に表示された操作画面を見ながら、入力部を介して整理対象の金種を指定する。図５は、表示部に表示された、整理対象の金種を指定する画面の一例を示している。オペレータは、整理対象の金種にカーソルを合わせて入力部の「完了」キーを押下する。図５の例では、整理対象の金種として５００円硬貨が指定されている。
【００５１】
なお、５００円硬貨については、新硬貨と旧硬貨の２種類が流通しているので、これらを区別して整理包装することも可能である。即ち、図５において、「新」を選択した場合、新硬貨の５００円硬貨のみを整理包装し、「旧」を選択した場合、旧硬貨の５００円硬貨のみを整理包装する。また、「混合」を選択した場合は、新硬貨と旧硬貨の両方を整理包装する。
【００５２】
また、図５に示すように、整理対象の金種を選択する際、「モード」を選択してもよい。このモードとして、例えば、汚損検知の有無を指定することが可能である。図５において「有り」を選択した場合、整理対象の金種の硬貨であっても汚れている場合は排除し、きれいな硬貨のみを整理包装する。
【００５３】
上記のようにして整理対象の金種等を指定した後、オペレータは棒金投出口２５の前に棒金１６収容用の箱を置く。次に、オペレータはバラ硬貨を投入口３１に投入し、入力部の「実行」キーを押下する。これにより、指定金種の硬貨が硬貨選別部６ａより選別され、包装用シュート４５を介して包装部１７へ導かれる。この包装部１７において指定金種の硬貨は包装されて包装硬貨（棒金１６）となる。そして、棒金１６は棒金シュート７２を通って棒金支持部８４に受けられ、その後、棒金搬送ベルト８２により搬送され、棒金投出口２５より投出される。
【００５４】
整理動作終了後、オペレータは表示部に表示された整理本数（作成された棒金の数）や端数硬貨の枚数等を確認し、入力部の「完了」キーを押下する。そして、オペレータは返却箱１５を抜き取り、返却箱１５に溜まった整理対象外の金種の硬貨を取り出す。また、返却口１１からリジェクト硬貨を取り出す。別の金種について整理動作を行う場合は、上記と同様にして金種の指定を行う。
【００５５】
次に、硬貨処理装置１の整理動作について、図６を参照して詳しく説明する。図６は、第１の実施形態に係る硬貨処理動作の説明図である。
【００５６】
硬貨選別部６ａは、硬貨整理モードにおいて、投入されたバラ硬貨のうち整理対象の金種の硬貨を強制選別し、シュート４３に落下させる。
【００５７】
硬貨選別部６ｂは、通常硬貨処理モードにおいて、投入されたバラ硬貨のうち５円硬貨を強制選別して保留筒３ｂに落下させる。また、硬貨選別部６ｅは、通常硬貨処理モードにおいて、５円硬貨とほぼ直径が等しい１００円硬貨を直径に基づいて選別し、保留筒３ｅに落下させる。
【００５８】
硬貨整理モードにおいて、整理対象外の金種の硬貨はその金種の直径に応じて硬貨選別部６ｃ〜６ｇにより選別されてそれぞれ対応する保留筒３ｃ〜３ｇに収納される。即ち、１円硬貨が整理対象外の場合には、１円硬貨は保留筒３ｃに収納される。５０円硬貨が整理対象外の場合には、５０円硬貨は保留筒３ｄに収納される。１００円硬貨が整理対象外の場合には、１００円硬貨は保留筒３ｅに収納される。１０円硬貨が整理対象外の場合には、１０円硬貨は保留筒３ｆに収納される。５００円硬貨が整理対象外の場合には、５００円硬貨は保留筒３ｇに収納される。
【００５９】
５円硬貨については、通常硬貨処理モードでは強制選別により保留筒３ｂに収納されるが、硬貨整理モードでは、５円硬貨と直径がほぼ等しい１００円硬貨を収納する保留筒３ｅに１００円硬貨と一緒に収納される。
【００６０】
硬貨選別部６ｂは、硬貨整理モードにおいては、保留筒３ｃ〜３ｇ内に保留された硬貨の枚数が制限枚数（保留筒３ｃ〜３ｆについては３００枚、保留筒３ｇについては１５０枚）に達するまでは、いずれの金種の硬貨も選別しない。
【００６１】
整理対象外の金種の硬貨が収納される保留筒３ｃ〜３ｇのいずれかが制限枚数に達すると、制限枚数に達した保留筒はそれ以上硬貨を収納することができない。しかし、本実施形態では、オーバーフローする硬貨は、硬貨選別部６ｂで強制選別されて保留筒３ｂに収納される。即ち、硬貨選別部６ｂは、オーバーフローする硬貨を選別する。なお、硬貨選別部６ｂが選別する硬貨の金種は、１種類（例えば１００円のみ）でもよいし、あるいは、複数種類（例えば５円と１００円）でもよい。
【００６２】
例えば指定金種が１０円であり、かつ指定外の硬貨が５円と１００円の場合、当初、バラ硬貨のうち５円硬貨と１００円硬貨が硬貨選別部６ｅにより選別され保留筒３ｅに保留される。その後、保留筒３ｅ内の硬貨の枚数が制限枚数（例えば３００枚）に達すると、硬貨選別部６ｂが５円硬貨および１００円硬貨を選別し始め、５円硬貨および１００円硬貨は保留筒３ｂに保留される。これにより、バラ硬貨の内の５円，１００円硬貨が多く、保留筒３ｅが一杯になった場合でも、オーバーフローした分を保留筒３ｂに貯えることが可能になる。５円と１００円以外に整理対象外の金種がある場合も同様である。即ち、当該金種に割り当てられた保留筒内の硬貨の枚数が制限枚数に達した場合、オーバーフローした分を保留筒３ｂに貯える。
【００６３】
上記のように、第１の実施形態によれば、整理対象外の金種の硬貨を保留筒３ｂの容量分だけ多く貯えることができる。整理対象外の金種が単一金種（例えば１００円のみ）の場合、保留筒３ｅおよび保留筒３ｂの制限枚数が各３００枚であるとしたとき、整理対象外の金種の硬貨が一時保留部３に６００枚貯えられるまで、オペレータが返却箱１５を取り出すことなく、硬貨整理動作を継続させることができる。その結果、オペレータが返却箱１５を抜き取る回数を減らすことができ、バラ硬貨の整理に要する時間を短縮することができる。
【００６４】
＜第１の実施形態の変形例＞
次に、第１の実施形態の変形例について、図７を参照して詳しく説明する。図７は、本変形例に係る硬貨処理動作の説明図を示している。本変形例では、硬貨選別部６ｄが硬貨を径選別ではなく、強制選別するように構成されている。図６で説明した第１の実施形態では、整理対象外硬貨をその金種に応じて保留筒３ｃ〜３ｇに収納する。そして、これらの保留筒３ｃ〜３ｇ内の硬貨の枚数が制限枚数に達すると、オーバーフローする分を硬貨選別部６ｂが選別して保留筒３ｂに収納する。これに対して、本変形例では、硬貨選別部６ｄもオーバーフロー分の硬貨を選別して保留筒３ｄに収納する。
【００６５】
硬貨選別部６ｄは、通常硬貨処理モードにおいて、バラ硬貨のうち５０円硬貨を強制選別して保留筒３ｄに収納させる。一方、硬貨選別部６ｄは、硬貨整理モードにおいて、保留筒３ｂ内に保留された硬貨（即ち、オーバーフローした整理対象外の硬貨）の枚数が制限枚数に達した後、さらに発生するオーバーフロー硬貨を強制選別して保留筒３ｄに収納させる。硬貨選別部６ｄは、保留筒３ｂ内に保留された硬貨の枚数が制限枚数に達するまではいずれの金種の硬貨も選別しない。このため、硬貨整理モードにおいて、硬貨選別部６ｅは、１００円硬貨および５円硬貨だけでなく、５０円硬貨も径選別し、保留筒３ｅに落下させることになる。
【００６６】
本変形によれば、保留筒３ｂが一杯になった場合でも、オーバーフローした分を保留筒３ｄに貯えることが可能になる。整理対象外の金種が単一金種（例えば１００円のみ）の場合、保留筒３ｅ，３ｂ，３ｄの制限枚数が各３００枚であるとしたとき、整理対象外の金種の硬貨が一時保留部３に９００枚貯えられるまで、オペレータが返却箱１５を取り出すことなく、硬貨整理動作を継続させることができる。よって、本変形例によれば、オペレータが返却箱１５を抜き取る回数をさらに減らすことができ、バラ硬貨の整理に要する時間をさらに短縮することができる。
【００６７】
なお、保留筒３ｂを保留筒３ｄの受け皿としてもよい。即ち、保留筒３ｃ，３ｅ，３ｆ，３ｇのいずれかが制限枚数に達すると、硬貨選別部６ｄがオーバーフローする硬貨を選別して保留筒３ｄ内へ収納する。その後、保留筒３ｄ内の硬貨の枚数が制限枚数に達すると、硬貨選別部６ｂがオーバーフローする硬貨を選別して保留筒３ｂに収納するようにしてもよい。
【００６８】
また、流通量が比較的少ない金種用の保留筒を保留筒３ｂの受け皿とすることが好ましい。本変形例では、５円硬貨に次いで流通量が少ない５０円硬貨を選別する硬貨選別部６ｄを強制選別としている。ただし、これに限るものではなく、硬貨選別部６ｃ，６ｅ〜６ｇのいずれかを強制選別とし、保留筒３ｃ，保留筒３ｅ〜３ｇのいずれかを保留筒３ｂの受け皿としてもよい。
【００６９】
（第２の実施形態）
次に、第２の実施形態に係る硬貨処理装置について、図８を参照して説明する。図８は、第２の実施形態に係る硬貨処理動作の説明図である。なお、硬貨選別部６ａ〜６ｇ以外の構成は第１の実施形態と同様であるため、詳しい説明は省略する。第２の実施形態と第１の実施形態との相違点の一つは、最も直径の大きい５００円硬貨以外の金種の硬貨を全て強制選別により選別する点である。
【００７０】
即ち、図８に示すように、硬貨選別部６ｂ〜６ｆは、強制選別により硬貨を選別するように構成されている。即ち、通常硬貨処理モードにおいて、硬貨選別部６ｂ，６ｃ，６ｄ，６ｅ，６ｆはそれぞれ、５円硬貨、１円硬貨、５０円硬貨、１００円硬貨、１０円硬貨を強制選別する。
【００７１】
５００円硬貨を選別する硬貨選別部６ｇは、分類通路部３６の最後尾に設けられ、５００円硬貨を径選別する。５００円以外の金種の硬貨は全て分類通路部３６の上流で強制選別される。
【００７２】
硬貨整理モードにおいて、硬貨選別部６ｂ〜６ｆは、整理対象外の金種の硬貨を強制選別する。例えば、硬貨選別部６ｂ，６ｃ，６ｄ，６ｅ，６ｆの順で整理対象外の金種の硬貨を選別する。即ち、整理動作の当初は硬貨選別部６ｂが整理対象外の金種の硬貨を選別して保留筒３ｂに収納させる。保留筒３ｂ内の硬貨の枚数が制限枚数に達すると、硬貨選別部６ｂは硬貨を選別することを止め、その代わりに硬貨選別部６ｃが整理対象外の金種の硬貨を選別して保留筒３ｃに収納させる。即ち、硬貨選別部６ｃは、保留筒３ｂ内に保留された硬貨の枚数が制限枚数に達した後、整理対象外の金種の硬貨を強制選別して保留筒３ｃに収納させる。
【００７３】
以下同様にして保留筒３ｄ〜３ｆがそれぞれ上流の保留筒の受け皿となる。そして、保留筒３ｆ内の硬貨の枚数が制限枚数に達すると、硬貨選別部６ｆは硬貨を選別することを止める。それ以降、整理対象外の金種の硬貨は、硬貨選別部６ｇの分岐孔４１を介して保留筒３ｇに落下する。
【００７４】
上記のように、第２の実施形態では、保留筒３ｂだけでなく、保留筒３ｃ〜３ｇも整理対象外の金種の硬貨を貯えることが可能になる。保留筒３ｂ〜３ｇの制限枚数が各３００枚であるとしたとき、整理対象外の金種が単一金種の場合、整理対象外の金種の硬貨が一時保留部３に１８００（＝３００×６）枚貯えられるまで、オペレータが返却箱１５を取り出すことなく、硬貨整理動作を継続させることができる。よって、第２の実施形態によれば、オペレータが返却箱１５を抜き取る回数を減らすことができ、バラ硬貨の整理に要する時間を短縮することができる。
【００７５】
なお、上記のように、硬貨処理装置１の正面に近い側の保留筒から整理対象外の金種の硬貨を貯えるようにすることが好ましい。これにより、オペレータが返却箱１５を取り出す際に手前側から硬貨が貯えられているので、返却箱１５を引き出しやすく、返却箱１５の持ち運びが容易である。また、返却箱１５内の硬貨を取り出すことが容易になる。
【００７６】
（第３の実施形態）
次に、第３の実施形態に係る硬貨処理装置について、図９を参照して説明する。図９は、第３の実施形態に係る硬貨処理動作の説明図である。なお、硬貨選別部６ａ〜６ｇ以外の構成は第１の実施形態と同様であるため、詳しい説明は省略する。第３の実施形態と第１の実施形態との相違点の一つは、硬貨選別部６ａが整理対象の金種の硬貨を強制選別ではなく径選別する点である。
【００７７】
図９に示すように、第３の実施形態では、硬貨選別部６ｂ〜６ｇは強制選別により硬貨を選別するように構成されている。即ち、通常硬貨処理モードにおいて、硬貨選別部６ｂ，６ｃ，６ｄ，６ｅ，６ｆ，６ｇはそれぞれ、５円硬貨、１円硬貨、５０円硬貨、１００円硬貨、１０円硬貨、５００円硬貨を強制選別する。
【００７８】
整理対象の金種の硬貨を選別する硬貨選別部６ａは、分類通路部３６の最後尾に設けられ、整理対象の金種の硬貨を径選別する。なお、硬貨選別部６ａは、どのような金種の硬貨も入り得る大きさの穴として構成されてもよい。整理対象外の金種の硬貨は全て分類通路部３６の上流で強制選別される。
【００７９】
硬貨整理モードにおける硬貨選別部６ｂ〜６ｇの硬貨選別動作は第２の実施形態とほぼ同様である。第２の実施形態との相違点としては、硬貨選別部６ｇは保留筒３ｆ内の硬貨の枚数が制限枚数に達すると、整理対象外の金種の硬貨の強制選別を開始する。第３の実施形態によれば、第２の実施形態と同様に、整理対象外の金種が単一金種の場合、整理対象外の金種の硬貨が一時保留部３に１８００（＝３００×６）枚貯えられるまで、オペレータが返却箱１５を取り出すことなく、硬貨整理動作を継続させることができる。
【００８０】
（第４の実施形態）
次に、第４の実施形態に係る硬貨処理装置について、図１０および図１１を参照して説明する。図１０は第４の実施形態に係る硬貨処理装置１Ａの内部構造を示す左側面図であり、図１１は第４の実施形態に係る硬貨処理動作の説明図である。図１０において図３と同様の構成要素には同じ参照符号を付している。第４の実施形態と第１の実施形態との相違点の一つは、通常硬貨処理モードにおいてリジェクト硬貨を選別する硬貨選別部６ｈが、硬貨整理モードにおいて整理対象の金種の硬貨を選別する点である。
【００８１】
図１０に示すように、第４の実施形態に係る硬貨処理装置１Ａでは、硬貨選別部６ｈの下部に設けられたシュート４２は、切替板２６を介して返却口１１およびシュート４３に接続されている。切換板２６は、シュート４２からの硬貨を、返却口１１またはシュート４３に選択的に導く。
【００８２】
シュート４３は、切替板２７を介して袋取り用シュート４４および包装用シュート４５に接続されている。切換板２７は、シュート４３からの硬貨を、袋取り用シュート４４または包装用シュート４５に選択的に導く。
【００８３】
第４の実施形態では、硬貨選別部６ｈは、通常硬貨処理モードにおいて、リジェクト硬貨を選別して返却口１１に落下させる。一方、硬貨整理モードにおいて、硬貨選別部６ｈは、整理対象の金種の硬貨を選別する。
【００８４】
図１１に示すように、第１の実施形態と同様に、硬貨選別部６ｂは、硬貨整理モードにおいて、保留筒３ｃ〜３ｇに収納される整理対象外の金種の硬貨の枚数が制限枚数に達するまではいずれの金種の硬貨も選別しない。そして、硬貨選別部６ｂは、保留筒３ｃ〜３ｇ内の硬貨の枚数が制限枚数に達した後、オーバーフローする整理対象外の金種（例えば５円，１００円）の硬貨を強制選別して保留筒３ｂに収納させる。その後、保留筒３ｂ内に保留された硬貨の枚数が制限枚数に達すると、硬貨選別部６ａは、上記整理対象外の金種のオーバーフローする硬貨を強制選別して保留筒３ａに収納させる。
【００８５】
なお、硬貨選別部６ｂを硬貨選別部６ａの受け皿として利用してもよい。この場合、硬貨選別部６ａは、硬貨整理モードにおいて、保留筒３ｃ〜３ｇ内に保留された硬貨の枚数が制限枚数に達するまではいずれの金種の硬貨も選別せず、保留筒３ｃ〜３ｇ内の硬貨の枚数が制限枚数に達した後、整理対象外の金種（例えば５円，１００円）の硬貨を強制選別して保留筒３ａに収納させる。その後、保留筒３ａ内に保留された硬貨の枚数が制限枚数に達すると、硬貨選別部６ｂは、上記整理対象外の金種の硬貨を強制選別して保留筒３ｂに収納させる。
【００８６】
また、硬貨整理モードにおいてリジェクト硬貨は、例えば、硬貨選別部６ａまたは硬貨選別部６ｂにより選別されるようにしてもよい。このようにした場合、リジェクト硬貨が最終的に返却箱１５に返却される。
【００８７】
上記のように、第４の実施形態によれば、保留筒３ａ，３ｂを保留筒３ｃ〜３ｇの受け皿として利用することができる。その結果、オペレータが返却箱１５を抜き取る回数を減らすことができ、バラ硬貨の整理に要する時間を短縮することができる。
【００８８】
（第５の実施形態）
次に、第５の実施形態に係る硬貨処理装置について、図１２（ａ），（ｂ）および図１３を参照して説明する。図１２（ａ）は、本実施形態に係る硬貨処理装置の分類通路部３６Ａの一部を示す平面図である。図１２（ｂ）は、図１２（ａ）のＡ−Ａ線に沿う断面図である。第５の実施形態と第４の実施形態との相違点の一つは、整理対象の金種の硬貨を、分類通路部３６Ａのコーナー部に設けられた飛出口２９から飛び出させることにより選別する点である。
【００８９】
図１２（ａ），（ｂ）に示すように、分類通路部３６Ａは、コーナー部Ｃで折れ曲がっており、コーナー部Ｃの上流には硬貨選別部６ｈが配置され、コーナー部Ｃの下流には硬貨選別部６ａ〜６ｇが配置されている。即ち、硬貨選別部６ｈおよび硬貨選別部６ａは分類通路部３６Ａのコーナー部Ｃの上流側および下流側にそれぞれ設けられている。
【００９０】
図１２（ａ）に示すように、分類通路部３６Ａの上流部分の突き当たりには飛出口２９が設けられている。コーナー部Ｃには、シャッター２８が設けられている。このシャッター２８は、駆動機構（図示せず）により上下方向に移動して飛出口２９を開閉する。
【００９１】
第５の実施形態では、上記シャッター２８および飛出口２９により硬貨選別部６ｉが構成され、この硬貨選別部６ｉにより、整理対象の金種の硬貨が選別される。より詳しくは、硬貨選別部６ｉは、硬貨整理モードにおいて、シャッター２８を駆動し、飛出口２９を開く。飛出口２９が開いた状態では、硬貨選別部６ｈにより選別されることなく搬送された硬貨はコーナー部Ｃにおいてそのまま直進し、飛出口２９から飛び出す。硬貨選別部６ｉは、整理対象の金種の硬貨がコーナー部Ｃを通過するときにシャッター２８を開く。これにより、硬貨選別部６ｉは、整理対象の金種の硬貨を飛出口２９から分類通路部３６Ａの外に飛び出させて選別する。
【００９２】
飛出口２９から飛び出した硬貨は、袋取り用シュート４４に導かれて機外に投出される。一方、硬貨選別部６ｈにより選別された硬貨は、包装用シュート４５により包装部１７に導かれて包装される。なお、これとは反対に、飛出口２９から飛び出した硬貨が包装用シュート４５により包装部１７に導かれて包装され、硬貨選別部６ｈにより選別された硬貨が袋取り用シュート４４に導かれて機外に投出されるようにしてもよい。
【００９３】
なお、硬貨整理モードにおける硬貨選別部６ａの動作は、第４の実施形態と同様である。即ち、硬貨選別部６ａは、硬貨整理モードにおいて、保留筒３ｃ〜３ｇ内に保留された硬貨の枚数が制限枚数に達するまではいずれの金種の硬貨も選別せず、保留筒保留筒３ｃ〜３ｇ内の硬貨の枚数が制限枚数に達した後、整理対象外の金種（例えば５円，１００円）の硬貨を強制選別して保留筒３ａに収納させる。
【００９４】
＜硬貨処理装置による整理方法＞
上述の硬貨処理装置を用いてバラ硬貨の整理を行う際、前述のように、オペレータは、まず、１回目の整理動作で整理する金種を指定する。そして、当該金種の整理が終了した後、２回目の整理動作で整理する金種を指定し、返却箱１５に返却されたバラ硬貨を投入口３１に再投入する。このようにしてバラ硬貨の整理がすべて完了するまで、整理動作の都度、オペレータは整理対象の金種を指定する必要があり、手間である。
【００９５】
そこで、以下のようにすることが考えられる。まず、オペレータは、バラ硬貨のうち所定枚数以上あると思われる金種を整理対象に指定する。好ましくは、バラ硬貨のうち最も枚数が多いと思われる金種を指定する。そして、１回目の整理動作の際、識別部３７は、包装対象外の金種を識別するとともに、金種ごとの枚数を計数する。記憶部（図示せず）は、識別部３７から、包装対象外の金種および金種ごとの枚数に関する情報を受信し記憶する。そして、２回目の整理動作において、硬貨処理装置は、記憶部に記憶された情報に基づいて整理動作で整理する金種を自動的に決定する。例えば、再投入されるバラ硬貨のうち最も枚数の多い硬貨の金種を整理対象の金種とする。３回目以降の整理動作についても、再投入されるバラ硬貨のうち最も枚数が多いと思われる金種を整理対象の金種に設定する。このようにすることで、２回目以降の整理動作の際にオペレータが整理対象の金種を指定する必要がなくなる。また、枚数の多い硬貨から順に包装されるため、返却箱１５から硬貨を取り出して再投入することが容易になる。その結果、バラ硬貨の整理に要する時間を短縮することができる。
【００９６】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００９７】
１，１Ａ  硬貨処理装置
２  硬貨受入部
３  一時保留部
３ａ，３ｂ，３ｃ，３ｄ，３ｅ，３ｆ，３ｇ  保留筒
６ａ，６ｂ，６ｃ，６ｄ，６ｅ，６ｆ，６ｇ，６ｈ，６ｉ  硬貨選別部
１１  返却口
１４  硬貨収納繰出部
１５  返却箱
１６  棒金
１７  包装部
１８  棒金収納送出部
１９  棒金搬送部
２６，２７  切替板
２８  シャッター
２９  飛出口
３１  投入口
３２  供給円盤
３３  回転円盤
３４  硬貨通路
３５  識別通路部
３６，３６Ａ  分類通路部
３７  識別部
４１  分岐孔
４２，４３  シュート
４４  袋取り用シュート
４５  包装用シュート
４６  切替板
５０  底部材
１００  機体
【図１】
2016162277.tif 000003
【図２】
2016162277.tif 000004
【図３】
2016162277.tif 000005
【図４】
2016162277.tif 000006
【図５】
2016162277.tif 000007
【図６】
2016162277.tif 000008
【図７】
2016162277.tif 000009
【図８】
2016162277.tif 000010
【図９】
2016162277.tif 000011
【図１０】
2016162277.tif 000012
【図１１】
2016162277.tif 000013
【図１２】
2016162277.tif 000014
【図１３】
2016162277.tif 000015